(57)【要約】【課題】  開閉動作を安定して行える携帯機器のスライド機構及びそのスライド機構を備えた携帯電話機を提供する。【解決手段】  第２筐体３に取り付けられるスライドケース５と、スライドケース５にスライド可能に係合され、第１筐体２に取り付けられるスライダー６と、スライダー６に中央部が取り付けられているスライドプレート７と、スライドプレート７の両端部にそれぞれ突設されている２つのロック部８と、スライドケース５に設けられ、閉成状態のときに、２つのロック部８のうちの一方とのみ係合する閉成係合部９ａ及び、開成状態のときに、２つのロック部８のうちの他方とのみ係合する開成係合部９ｂと、スライドプレート７の両端部とスライダー６との間に設けられ、各ロック部８をスライドケース５側に押圧する弾性手段１０と、を備えたことにより、前記課題を解決した。【選択図】        図３
2006245675.tif 000002
【特許請求の範囲】
【請求項１】
携帯機器を構成する第１筐体と第２筐体を互いに重ね合わせた状態で相対的に一方向にスライド係合させ、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するスライド機構であって、
前記第１筐体及び前記第２筐体のいずれか一方の筐体に取り付けられるスライドケースと、
このスライドケースにスライド可能に係合され、前記第１筐体及び前記第２筐体のいずれか他方の筐体に取り付けられるスライダーと、
このスライダーに中央部が取り付けられている可撓可能なスライドプレートと、
このスライドプレートの両端部にそれぞれ突設され、前記スライドケースに接触しつつ摺動するロック部と、
前記スライドケースに設けられ、前記閉成状態のときに、前記ロック部のうちの一方のロック部とのみ係合して前記スライダーを前記スライドケースに対してロック状態に保持する閉成係合部及び、前記開成状態のときに、前記ロック部のうちの他方のロック部とのみ係合して前記スライダーを前記スライドケースに対してロック状態に保持する開成係合部と、
前記スライドプレートの両端部と前記スライダーとの間に設けられ、前記各ロック部を前記スライドケース側に押圧する弾性手段と、
を備えたことを特徴とする、携帯機器のスライド機構。
【請求項２】
前記スライドケースは、ロックカバーとスライドカバーとで前記スライダーをスライド可能に係合することを特徴とする、請求項１に記載の携帯機器のスライド機構。
【請求項３】
前記スライドケースは、前記スライダーをスライド可能に係合するスライドガイド部を有することを特徴とする、請求項１に記載の携帯機器のスライド機構。
【請求項４】
前記スライドプレートは、円弧状に形成されていることを特徴とする、請求項１〜３のいずれか１項に記載の携帯機器のスライド機構。
【請求項５】
前記弾性手段が、コンプレッションスプリングであることを特徴とする、請求項１〜４のいずれか１項に記載の携帯機器のスライド機構。
【請求項６】
前記請求項１〜５のいずれか１項に記載の携帯機器のスライド機構を備えたことを特徴とする、携帯電話機。
【発明の詳細な説明】
【技術分野】
【０００１】
本発明は、携帯電話機などの携帯機器を構成する第１筐体と第２筐体を相対的に一方向にスライドさせる際に用いられて好適な携帯機器のスライド機構及びその携帯機器のスライド機構を備えた携帯電話機に関するものである。
【背景技術】
【０００２】
携帯機器の一種である携帯電話機において、キーボード部やマイク部等を上面に設けた送話部としての第１筐体と、表示部やスピーカー部等を上面に設けた受話部としての第２筐体とを有し、これらの第１筐体と第２筐体が重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このようなスライド機構を有する携帯電話機としては、下記する特許文献１に記載されたものが公知である。
【特許文献１】特開２００４−１８６８５４号公報
【発明の開示】
【発明が解決しようとする課題】
【０００３】
この特許文献１に記載されたものは、受話部としての第２筐体の下面に取り付けられるスライドケースと、スライドケースにスライド係合され、送話部としての第１筐体の上面に取り付けられるスライダーと、スライダーに取り付けられ、スライドケースの基板部にスライド接触するロック部が一体的に形成された円弧状の板バネと、スライドケースの基板部の所定の位置に設けられ、ロック部と係合してスライダーを所定の位置に保持する係合部とを備える構成のものであった。
【０００４】
ところで、係合部は、閉成状態と開成状態の２つの状態のときにロック部と係合して第１筐体と第２筐体との相対位置を保持するようにスライドケースの基板部の所定の２箇所に設けられている。このため、１回の開閉動作（１往復）でロック部は２つの係合部と係合するので、２回の荷重（応力）を受け、耐久性が悪い。
【０００５】
また、第１筐体に対して第２筐体をスライドさせるとき、ロック部がスライドケースの基板部に接触しつつ摺動することにより、スライド荷重が発生するために、板バネであるロック部が直接スライドケースに接触して摺動するので、板バネが摩耗する。その結果、摩耗による削れによって板バネの荷重が変化して安定して開閉動作を行えないことがあった。また、板バネの張りによりスライド荷重を発生させるために、板バネがへたりやすい。
【０００６】
また、板バネは、両端部がスライダーに取り付けられていると共に中央部にロック部が一体的に設けられた円弧状に形成されているために、スライダーがスライドケースに接触する箇所は、スライダーの中央部のロック部の１箇所である。このため、スライダーの両端部（端部近傍を含む。）のいずれか一方の端部をスライドケース側に押圧すると、ロック部を支点としてスライダーがスライドケースに対して斜めに動き易い。
【０００７】
本発明は、前記課題を解決するためになされたものであって、その目的は、耐久性が向上すると共に開閉動作を安定して行え、かつ、スライダーが斜めに動き難い携帯機器のスライド機構及びそのスライド機構を備えた携帯電話機を提供することにある。
【課題を解決するための手段】
【０００８】
前記の目的を達成するための本発明に係る携帯機器のスライド機構は、携帯機器を構成する第１筐体と第２筐体を互いに重ね合わせた状態で相対的に一方向にスライド係合させ、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するスライド機構であって、前記第１筐体及び前記第２筐体のいずれか一方の筐体に取り付けられるスライドケースと、このスライドケースにスライド可能に係合され、前記第１筐体及び前記第２筐体のいずれか他方の筐体に取り付けられるスライダーと、このスライダーに中央部が取り付けられている可撓可能なスライドプレートと、このスライドプレートの両端部にそれぞれ突設され、前記スライドケースに接触しつつ摺動するロック部と、前記スライドケースに設けられ、前記閉成状態のときに、前記ロック部のうちの一方のロック部とのみ係合して前記スライダーを前記スライドケースに対してロック状態に保持する閉成係合部及び、前記開成状態のときに、前記ロック部のうちの他方のロック部とのみ係合して前記スライダーを前記スライドケースに対してロック状態に保持する開成係合部と、前記スライドプレートの両端部と前記スライダーとの間に設けられ、前記各ロック部を前記スライドケース側に押圧する弾性手段と、を備えたことを特徴とする。
【０００９】
この発明によれば、スライドプレートの両側部に突設された２つのロック部と、閉成状態のときに、ロック部のうちの一方のロック部とのみ係合してスライダーをスライドケースに対してロック状態に保持する閉成係合部と、開成状態のときに、ロック部のうちの他方のロック部とのみ係合してスライダーをスライドケースに対してロック状態に保持する開成係合部とを備えたことにより、１回の開閉動作（１往復）で、一方のロック部が係合部に１回のみ係合すると共に、他方のロック部が係合部に１回のみ係合するために、各ロック部はそれぞれ１回の荷重（応力）しか受けないので、耐久性が向上することになる。
【００１０】
また、スライドプレートの両端部とスライダーとの間に弾性手段を設けて、各ロック部をスライドケース側に押圧することにより、スライド荷重を発生させるので、弾性手段が直接スライドケースと接触することがない。その結果、弾性手段が摩耗することがないので、開閉動作を安定して行えることになる。また、スライドプレートの両端部のロック部を、それぞれ各弾性手段によってスライドケース側に押圧するために、スライダーの両端部のいずれか一方の端部をスライドケース側に押圧しても、その一方の端部とスライドプレートの間には、弾性手段が設けられているので、スライダーがスライドケースに対して斜めになり難い。
【００１１】
本発明に係る携帯機器のスライド機構において、前記スライドケースは、ロックカバーとスライドカバーとで前記スライダーをスライド可能に係合することが好ましい。また、本発明に係る携帯機器のスライド機構において、前記スライドケースは、前記スライダーをスライド可能に係合するスライドガイド部を有することが好ましい。また、本発明に係る携帯機器のスライド機構において、前記スライドプレートは、円弧状に形成されていることが好ましい。また、本発明に係る携帯機器のスライド機構において、前記弾性手段が、コンプレッションスプリングであることが好ましい。
【００１２】
また、本発明に係る携帯電話機は、前記の本発明に係る携帯機器のスライド機構を備えたことを特徴とする。この発明によれば、前述と同様に、スライドプレートのロック部又はロック部近傍とスライダーとの間にロック部をスライドケース側に付勢する弾性手段を設けたので、弾性手段が摩耗することがなく、開閉動作を安定して行えることになる。
【発明の効果】
【００１３】
以上説明したように本発明に係る携帯機器のスライド機構及び携帯電話機によれば、スライダーに中央部が取り付けられているスライドプレートと、このスライドプレートの両端部に突設されているロック部と、閉成係合部及び開成係合部と、スライドプレートの両端部とスライダーとの間に設けられ、各ロック部をスライドケース側に押圧する弾性手段とを備えたので、耐久性が向上すると共に開閉動作を安定して行え、かつ、スライダーが斜めに動き難い。
【発明を実施するための最良の形態】
【００１４】
以下、本発明に係る携帯機器のスライド機構及び携帯電話機を添付図面に基づいて詳述する。
【００１５】
図１〜図３は本発明に係る携帯機器のスライド機構を備えた携帯電話機の一例を示すものである。図４は本発明に係る携帯機器のスライド機構の一例を示すものである。本発明に係る携帯機器のスライド機構は、図１〜図４に示すように、携帯機器を構成する第１筐体２と第２筐体３を互いに重ね合わせた状態で相対的にスライド係合させ、第１筐体２及び第２筐体３のいずれか一方の筐体例えば第１筐体２の上面を第１筐体２及び前記第２筐体３のいずれか他方の筐体例えば第２筐体３で覆う閉成状態（図１参照。）と、第１筐体２の上面を露出させる開成状態（図２参照。）とを形成するものである。
【００１６】
携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１１について説明するが、これに限定されるものではない。
【００１７】
第１筐体２は、携帯電話機１１の送話部を構成するものであり、マイク部２ａやキーボード部２ｂ等を上面に有している。第１筐体２は、細長の略矩形状に形成されている。第２筐体３は、同じく携帯電話機１１の受話部を構成するものであり、スピーカー部３ａ、ＬＣＤなどのディスプレイ部３ｂ、カメラ部３ｃ等を上面に有している。第２筐体３は、第１筐体２と略同じ細長の略矩形状に形成されている。
【００１８】
これらの第１筐体２と第２筐体３とが互いに重ね合わされた閉成状態から例えば第１筐体２に対して第２筐体３をその長手方向に相対的にスライド移動可能に第１筐体２と第２筐体３とがスライド機構１を介して連結されて携帯電話機１１が構成されている。すなわち、この携帯電話機１１は、第１筐体２の上面に第２筐体３の下面が互いに重ね合わされてマイク部２ａやキーボード部２ｂ等を閉塞すると共に、第１筐体２の上面から第２筐体３の下面がスライド移動してマイク部２ａやキーボード部２ｂ等を露出させることができるようになっている。なお、図１中、符号４は、アンテナを示し、このアンテナ４は第１筐体２の側に取り付けられているが、第２筐体３の側に取り付けてもよい。
【００１９】
また、第１筐体２の上面の両側部には、棚部２ｃ、２ｃが設けられている。第２筐体３の下面の両側部には、棚部２ｃ、２ｃに摺接するスライド部３ｄ、３ｄが設けられている。これらの棚部２ｃ、２ｃ及びスライド部３ｄ、３ｄは、閉成状態のとき棚部２ｃ、２ｃの一方の端部とスライド部３ｄ、３ｄの一方の端部とが当接し、開成状態のとき棚部２ｃ、２ｃの他方の端部とスライド部３ｄ、３ｄの他方の端部とが当接するようにそれぞれ形成されていることが好ましい。尚、この棚部２ｃ、２ｃとスライド部３ｄ、３ｄは、省略しても良い。
【００２０】
本発明に係る携帯機器のスライド機構１は、第１筐体２及び第２筐体３のいずれか一方の筐体例えば第２筐体３に取り付けられるスライドケース５と、スライドケース５にスライド可能に係合され、第１筐体２及び第２筐体３のいずれか他方の筐体例えば第１筐体２に取り付けられるスライダー６と、スライダー６に中央部が取り付けられている可撓可能なスライドプレート７と、スライドプレート７の両端部にそれぞれ突設され、スライドケース５に接触しつつ摺動する２つのロック部８（閉成状態のときに先端部側の第１ロック部８ａ及び残りの第２ロック部８ｂ）と、スライドケース５に設けられ、閉成状態のときに、２つのロック部８のうちの一方例えば第１ロック部８ａとのみ係合してスライダー６をスライドケース５に対してロック状態に保持する閉成係合部（第１係合部９ａということがある。）及び、開成状態のときに、２つのロック部８のうちの他方例えば第２ロック部８ｂとのみ係合してスライダー６をスライドケース５に対してロック状態に保持する開成係合部（第２係合部９ｂということがある。）と、スライドプレート７の両端部とスライダー６との間に設けられ、各ロック部８ａ、８ｂをスライドケース５側に押圧する弾性手段１０と、を備えたことに特徴がある。
【００２１】
スライドケース５は、第２筐体３の下面にその長手方向に延びて形成されている。このスライドケース５は、適宜間隔を空けて一対取り付けられている。すなわち、スライドケース５は、第２筐体３の下面の両側部近傍にその長手方向にそれぞれ延び、先端部（スピーカー部３ａがある側の端部）近傍から後端部（先端部とは反対側の端部）近傍にかけて直線状に形成されている。なお、スライドケース５及びスライダー６の個数は、２つに限定されるものではなく、１つでも３つ以上でも良い。
【００２２】
スライドケース５は、スライダー６をスライド可能に係合できれば特に限定されず、１つの部材で構成してもよいし、２つ以上の部材で構成してもよい。スライドケースを１つの部材で構成する場合には、スライダー６をスライド可能に係合するスライドガイド部を設けるようにしてもよい。例えば、スライドケース（図示せず）を、細長平板状の基板部と、この基板部の両側部を直角（略直角を含む。）にそれぞれ折り曲げてなる側板部と、これらの側板部の自由端をそれぞれ内側へ直角（略直角を含む。）に折り曲げてなるスライドガイド部とから構成してもよい。
【００２３】
スライドケース５を２つ以上例えば２つの部材で構成する場合には、例えば、ロックカバー５１とスライドカバー５２とでスライダー６をスライド可能に係合するように構成してもよい。ロックカバー５１は、例えばステンレス製の金属プレートをプレス加工することによって一体に形成され、プレス加工の後に焼き入れ加工をすることによってバネ性を持たせてある。このロックカバー５１は、細長平板状の基板部５１ａと、この基板部５１ａの両端部及び両側部をそれぞれ直角（略直角を含む。）に折り曲げてなる立板部５１ｂと、これらの立板部５１ｂに設けられ、外側に突出した係合突片５１ｃと、基板部５１ａの両端部近傍に設けられた係合部９とからなる。
【００２４】
スライドカバー５２は、例えばステンレス製の金属プレートをプレス加工することによって一体に形成され、プレス加工の後に焼き入れ加工をすることによってバネ性を持たせてある。このスライドカバー５２は、細長平板状の基板部５２ａと、この基板部５２ａの両側部をそれぞれ直角（略直角を含む。）に折り曲げてなる側板部５２ｂと、これらの側板部５２ｂに設けられ、立板部５１ｂの係合突片５１ｃと係合する係合孔５２ｃと、基板部５２ａの両端部に設けられた係止片５２ｄ及び、取付孔５２ｆを有する取付片５２ｅと、基板部５２ａに設けられたガイド長孔５２ｇとからなる。ガイド長孔５２ｇは、基板部５２ａの長手方向に延び、両端部が基板部５２ａの両端部近傍に位置されている。スライドカバー５２内の側板部５２ｂ間にロックカバー５１を被せて、係合突片５１ｃと係合孔５２ｃとを係合させることにより、両者は堅固に組み立てられてスライドケース５が構成されている。このスライドケース５には、スライダー６が摺動可能に収装されている。
【００２５】
スライダー６は、図３〜図５に示すように、細長平板状の基板部６ａと、この基板部６ａの両側部を直角（略直角を含む。）に折り曲げてなる側板部６ｂ、６ｂと、この側板部６ｂ、６ｂの自由端を外側へ直角（略直角を含む。）に折り曲げてなる一対のガイド片６ｃ、６ｃとからなる。スライダー６のガイド片６ｃ、６ｃをそれぞれスライドケース５のロックカバー５１の基板部５１ａとスライドカバー５２の基板部５２ａのガイド長孔５２ｇの両側部との間に嵌入させると共に、基板部６ａと側板部６ｂ、６ｂとから略コ字状に形成されたガイド部がガイド長孔５２ｇから突出することによって、ガイド長孔５２ｇの孔に沿ってスライダー６とスライドケース５とが互いにスライド可能に係合されることになる。
【００２６】
このスライダー６も、例えばステンレスの金属プレートをプレス加工することによって形成したもので、プレス加工の後焼き入れによってバネ性を持たせてある。このスライダー６のガイド片６ｃ、６ｃには、適宜間隔を空けて各一対の凸部６ｄ、６ｄ・６ｄ、６ｄが設けられている。これら凸部６ｄ、６ｄ・６ｄ、６ｄによってスライダー６とスライドケース５とが互いに容易にスライド移動しやすいようになっている。
【００２７】
また、スライダー６の基板部６ａの両端部近傍には、雌ネジ部６ｅ、６ｅが、例えばバーリング加工によってそれぞれ形成されている。このスライダー６は、第１筐体２の上面の先端部（マイク部２ａが設けられている側とは反対側の端部）近傍に例えばネジ１５によって取り付けられており、このスライダー６がスライドケース５に係合して第１筐体２と第２筐体３とが互いにその長手方向の一方向に閉成状態と開成状態との間でスライド移動し得るようになっている。
【００２８】
すなわち、第１筐体２の上面が第２筐体３で覆われた状態が閉成状態であり、このとき、スライダー６がスライドケース５の先端部に位置され、この状態から、例えば、第１筐体２に対して第２筐体３を第１筐体２の後端部側からその先端部側にスライドさせてスライダー６をスライドケース５の後端部に位置させたとき、第１筐体２の上面が露出した状態が開成状態である。なお、スライドケース５を第２筐体３に取り付けると共にスライダー６を第１筐体２に取り付けて第１筐体２と第２筐体３とを互いにスライド可能に連結したが、スライドケースを第１筐体に取り付けると共にスライダーを第２筐体に取り付けて第１筐体と第２筐体とを互いにスライド可能に連結するようにしてもよい。
【００２９】
スライダー６の基板部６ａの中央部（略中央部を含む。）の内面には、基板部６ａの表面から突出する円筒状の取付部６ｆが設けられている。取付部６ｆは、例えばバーリング加工によって形成されている。この取付部６ｆには、可撓可能なスライドプレート７が取り付けられている。スライドプレート７には、スライドケース５に接触しつつ摺動するロック部８が２つ設けられている。
【００３０】
スライドプレート７は、図３、図４及び図６に示すように、スライドケース５にロック部８を接触させつつ摺動させることができれば、特に限定されない。スライドプレート７としては、例えば、スライダー６の基板部６ａの長手方向に延びる板バネで形成されている。スライドプレート７は、例えば、円弧状の円弧部７ａと、円弧部７ａの両端部に一体的に設けられている平板部７ｂ、７ｂと、各平板部７ｂ、７ｂの先端部に設けられているロック部８とから一体的に形成されている。スライドプレート７の長さ（長手方向の長さ）は、ロック部８が基板部６ａの両端部から延出する長さに形成され、また、平板部７ｂ、７ｂ間の長さが基板部６ａの長さ（長手方向の長さ）と同じ寸法か若干長いか短い寸法で形成されている。スライドプレート７の円弧部７ａの中央部（略中央部を含む。）には、取付部６ｆに嵌合されて取り付けるための嵌合孔７ｄが設けられている。
【００３１】
ロック部８は、スライドケース５の基板部５ａの内面に接触しつつ摺動するようにスライドケース５側に湾曲して形成されている。平板部７ｂは、平板状に形成されている。この平板部７ｂの雌ネジ部６ｅに対応する位置には、雌ネジ部６ｅの外径と同じ（略同じを含む。）寸法の径の円柱状の装着部７ｃが雌ネジ部６ｅと対向するように突出して設けられている。この平板部７ｂと基板部６ａとの間に弾性手段１０がそれぞれ設けられている。
【００３２】
弾性手段１０は、ロック部８をスライドケース５のロックカバー５１の基板部５１ａ側に押圧するものであり、ロック部８を押圧できれば特に限定されないが、コンプレッションスプリング１０ａであることが好ましい。コンプレッションスプリング１０ａは、一端部が装着部７ｃの外周に装着されると共に他端部が雌ネジ部６ｅの外周に装着されており、平板部７ｂをスライドケース５側に押圧してロック部８をロックカバー５１に押圧するようになっている。これにより、スライドケース５に対するスライダー６のスライド荷重が発生すると共に、ロック部８が係合部９と係合したときにスライダー６をロック状態に保持することができるようになっている。
【００３３】
係合部９は、閉成状態又は開成状態のときにロック部８と係合してスライダー６をスライドケース５に対してロック状態に保持するものであり、スライドケース５の基板部５ａに形成されている。係合部９は、ロック部８と係合できれば特に限定されず、凸状に形成してもよいし、凹状に形成してもよいし、また、孔によって形成してもよく、例えばプレス加工等によって隆起させた凸状に形成されている。係合部９は、基板部５ａの両端部近傍にそれぞれ配置された２つの第１係合部９ａと第２係合部９ｂからなる。第１係合部９ａは、第１筐体２の先端部側に配置されていると共に、閉成状態のときに第１ロック部８ａと係合する位置に配置されていることが好ましい。第２係合部９ｂは、第１筐体２の後端部側に配置されていると共に、開成状態のときに第２ロック部８ｂと係合する位置に配置されていることが好ましい。すなわち、閉成状態のときに第１係合部９ａと第１ロック部８ａとが係合し、開成状態のときに第２係合部９ｂと第２ロック部８ｂとが係合するようになっている。
【００３４】
次に本発明に係る携帯機器のスライド機構１及び携帯電話機１１の作用を説明する。
【００３５】
携帯電話機１１が使用されていない状態では、図１に示すように、通常、第１筐体２と第２筐体３が互いに重なり合った閉成状態である。このとき、第１ロック部８ａと第１係合部９ａとが係合しており、閉成状態で第１筐体２と第２筐体３がロック状態に保持されている。この携帯電話機１１で通話を行うには、例えば、第１筐体２を左手で持つと共に第２筐体３を右手で持って、この第２筐体３を第１筐体２に対して第１筐体２の後端部から先端部側にスライドさせる。すると、第１ロック部８ａが第１係合部９ａから脱して（係合が解除されて）スライドケース５の後端部側へと位置がずれていく。
【００３６】
このとき、第１ロック部８ａ及び第２ロック部８ｂがスライドケース５のロックカバー５１の基板部５１ａに接触しつつ摺動しているため、第２筐体３のスライドを止めると、第２筐体３はその位置に停止する。すなわち、第２筐体３を第１筐体２に対してスライドさせると、第１ロック部８ａ及び第２ロック部８ｂが基板部５１ａに接触しつつ摺動するとき、第１ロック部８ａ及び第２ロック部８ｂがコンプレッションスプリング１０ａの付勢力によって基板部５ａに押圧されているので、第２筐体３のスライドを停止すると、第１ロック部８ａ及び第２ロック部８ｂの接触による摩擦力によって第２筐体３はその位置に停止する。よって、第２筐体３を第１筐体２に対して所望の位置に停止させることができる。
【００３７】
そして、棚部２ｃ、２ｃの端部とスライド部３ｄ、３ｄの端部とが当接すると共に、第２ロック部８ｂが第２係合部９ｂを形成する凸部を乗り越えてから第２係合部９ｂと係合して、第１筐体２と第２筐体３が開成状態でロック状態に保持される（図２参照。）。この第１筐体２の上面のキーボード部２ｂが露出されてその操作が可能になり、携帯電話機１１を用いて通話を行える状態になる。
【００３８】
第２筐体３を元の位置に戻すには、例えば、第１筐体２を左手で持つと共に第２筐体３を右手で持って、この第２筐体３を第１筐体２に対して第１筐体２の先端部から後端部側に力を作用させる。すると、第２ロック部８ｂが第２係合部９ｂから脱し（係合が解除され）、第２筐体３が第１筐体２に対してスライドする。そして、棚部２ｃ、２ｃの端部とスライド部３ｄ、３ｄの端部とが当接すると共に、第１ロック部８ａが第１係合部９ａを形成する凸部を乗り越えてから第１係合部９ａと係合して第２筐体３が元の状態に戻り、第１筐体２と第２筐体３が互いに重なり合った閉成状態に保持される。
【００３９】
したがって、本発明に係る携帯機器のスライド機構１及び携帯電話機１１は、スライドプレート７とスライダー６との間に設けたコンプレッションスプリング１０ａによってロック部８をスライドケース５の基板部５ａに接触させつつ摺動させてスライド荷重を発生させているために、弾性手段１０が直接スライドケース５と接触して摺動することがないので、弾性手段１０が摩耗することがなく、開閉動作を安定して行える。
【００４０】
また、ロック部８を付勢する弾性手段１０としてコンプレッションスプリング１０ａを用いることにより、弾性手段１０のへたりを抑えることができる。すなわち、弾性手段として板バネを用いると、板バネの張りによりスライド荷重を発生させるために、板バネがへたりやすい。このため、コンプレッションスプリング１０ａを用いることにより、弾性手段１０のへたりを抑えることができる。
【００４１】
また、スライダー６に第１ロック部８ａと第２ロック部８ｂとの２つのロック部８を設け、閉成状態のときには第１ロック部８ａが第１係合部９ａにのみ係合して閉成状態を保持すると共に、開成状態のときには第２ロック部８ｂが第２係合部９ｂにのみ係合して開成状態を保持するようにしたので、ロック部８の耐久性を向上させることができる。すなわち、１回の開閉動作（１往復）で、第１ロック部８ａが第１係合部９ａに１回のみ係合すると共に、第２ロック部８ｂが第２係合部９ｂに１回のみ係合し、各第１ロック部８ａ及び第２ロック部８ｂはそれぞれ１回の荷重（応力）しか受けないので、ロック部８の耐久性を向上させることができる。
【００４２】
また、スライダー６がスライドケース５に接触する箇所は、第１ロック部８ａと第２ロック部８ｂとの２箇所であり、これら第１ロック部８ａ及び第２ロック部８ｂは、各第１ロック部８ａ及び第２ロック部８ｂの近傍に設けた各コンプレッションスプリング１０ａ、１０ａによってスライドケース５の基板部５ａにそれぞれ個別に押圧されるので、スライダー６がスライドケース５に対して斜めになり難い。すなわち、スライダー６の両端部に位置する第１ロック部８ａと第２ロック部８ｂとの２箇所がスライドケース５に接触すると共に、各第１ロック部８ａ及び第２ロック部８ｂはそれぞれ各コンプレッションスプリング１０ａ、１０ａによってスライドケース５の基板部５ａに押圧されているために、スライダー６の両端部（端部近傍を含む。）のいずれか一方の端部を例えばスライドケース５側に押圧しても、その一方の端部側に個別にコンプレッションスプリング１０ａが設けられているので、スライダー６がスライドケース５に対して斜めになり難い。
【産業上の利用可能性】
【００４３】
以上説明したように本発明に係るスライド機構は、スライダーに中央部が取り付けられているスライドプレートと、このスライドプレートの両端部に突設されているロック部と、閉成係合部及び開成係合部と、スライドプレートの両端部とスライダーとの間に設けられ、各ロック部をスライドケース側に押圧する弾性手段とを備えたので、耐久性が向上すると共に開閉動作を安定して行え、かつ、スライダーが斜めに動き難いことから、携帯端末の中でもとくに携帯電話機のスライド機構として好適に用いられるものである。
【図面の簡単な説明】
【００４４】
【図１】本発明に係る携帯機器のスライド機構を備えた携帯電話機の閉成状態の一例を示す平面図である。
【図２】本発明に係る携帯機器のスライド機構を備えた携帯電話機の開成状態の一例を示す平面図である。
【図３】本発明に係る携帯機器のスライド機構を備えた携帯電話機の一例を示す断面図である。スライド機構を備えた携帯電話機の一例における開成状態を示す斜視図である。
【図４】本発明に係る携帯機器のスライド機構の一例を示す分解斜視図である。
【図５】本発明に係るスライダーの一例を示す図で、（ａ）斜視図、（ｂ）は側面図、（ｃ）は平面図である。
【図６】本発明に係るスライドプレートの一例を示す図で、（ａ）は側面図、（ｂ）は平面図である。
【符号の説明】
【００４５】
１  スライド機構
２  第１筐体
３  第２筐体
５  スライドケース
６  スライダー
７  スライドプレート
８  ロック部
８ａ  第１ロック部
８ｂ  第２ロック部
９  係合部
９ａ  第１係合部（閉成係合部）
９ｂ  第２係合部（開成係合部）
１０  弾性手段
１０ａ  コンプレッションスプリング
１１  携帯電話機
５１  ロックカバー
５２  スライドカバー
【図１】
2006245675.tif 000003
【図２】
2006245675.tif 000004
【図３】
2006245675.tif 000005
【図４】
2006245675.tif 000006
【図５】
2006245675.tif 000007
【図６】
2006245675.tif 000008